(57)【特許請求の範囲】
【請求項１】
楽曲識別情報に対応付けて記録された録音情報についてフレーズ区間を設定する設定処理と、
前記フレーズ区間にて歌唱が行われたか否かを判定する判定処理と、
前記楽曲識別情報に対応する録音情報と楽曲情報とを同期して再生させる際、歌唱が行われたと判定された前記フレーズ区間では、前記楽曲情報に含まれるガイドメロディ情報を再生させず、歌唱が行われなかったと判定された前記フレーズ区間では、前記ガイドメロディ情報を再生させる再生処理と、を実行し、
前記判定処理は、前記フレーズ区間よりも短いサブフレーズ区間毎に歌唱が行われたか否かを検出し、前記フレーズ区間中、歌唱が行われたと判定された前記サブフレーズ区間の割合に基づいて、前記フレーズ区間に音声が含まれているか否かを判定することを特徴とする
楽曲再生装置。
【請求項２】
楽曲識別情報に対応付けて記録された録音情報についてフレーズ区間を設定する設定処理と、
前記フレーズ区間にて歌唱が行われたか否かを判定する判定処理と、
前記楽曲識別情報に対応する録音情報と楽曲情報とを同期して再生させる際、歌唱が行われたと判定された前記フレーズ区間では、前記楽曲情報に含まれるガイドメロディ情報を再生させず、歌唱が行われなかったと判定された前記フレーズ区間では、前記ガイドメロディ情報を再生させる再生処理と、を実行し、
前記録音情報は、複数のパートを含む録音情報であって、
前記判定処理と前記再生処理は、録音情報の各パートについて処理を実行することを特徴とする
楽曲再生装置。
【請求項３】
前記判定処理は、音量に基づいて歌唱が行われたか否かを判定することを特徴とする
請求項１または請求項２に記載の楽曲再生装置。
【請求項４】
楽曲識別情報に対応付けて記録された録音情報においてフレーズ区間を設定する設定処理と、
前記フレーズ区間にて歌唱が行われたか否かを判定する判定処理と、
前記楽曲識別情報に対応する録音情報と楽曲情報とを同期して再生させる際、歌唱が行われたと判定された前記フレーズ区間では、前記楽曲情報に含まれるガイドメロディ情報を再生させず、歌唱が行われなかったと判定された前記フレーズ区間では、前記ガイドメロディ情報を再生させる再生処理と、をコンピュータに実行させ、
前記判定処理は、前記フレーズ区間よりも短いサブフレーズ区間毎に歌唱が行われたか否かを検出し、前記フレーズ区間中、歌唱が行われたと判定された前記サブフレーズ区間の割合に基づいて、前記フレーズ区間に音声が含まれているか否かを判定することを特徴とする
楽曲再生プログラム。
【請求項５】
楽曲識別情報に対応付けて記録された録音情報においてフレーズ区間を設定する設定処理と、
前記フレーズ区間にて歌唱が行われたか否かを判定する判定処理と、
前記楽曲識別情報に対応する録音情報と楽曲情報とを同期して再生させる際、歌唱が行われたと判定された前記フレーズ区間では、前記楽曲情報に含まれるガイドメロディ情報を再生させず、歌唱が行われなかったと判定された前記フレーズ区間では、前記ガイドメロディ情報を再生させる再生処理と、をコンピュータに実行させ、
前記録音情報は、複数のパートを含む録音情報であって、
前記判定処理と前記再生処理は、録音情報の各パートについて処理を実行することを特徴とする
楽曲再生プログラム。
【発明の詳細な説明】
【技術分野】
【０００１】
本発明は、楽曲を再生する楽曲再生装置及び楽曲再生プログラムに関するものであり、特に、楽曲情報と音声情報を同期して再生させる楽曲再生装置及び楽曲再生プログラムに関する。
【背景技術】
【０００２】
従来、楽曲の自動演奏に合わせて歌唱を楽しむカラオケ装置では、歌唱を補助するため、模範となるガイドメロディのオン／オフを切り換える機能が設けられている。不慣れな歌唱者は、ガイドメロディを出力させることで、ガイドメロディを聴きながら音程を取って歌唱を行うことが可能となる。さらに、この補助機能において、歌唱が途絶えた、あるいは、歌唱音程がずれていることを検出し、模範となるガイドメロディを音声出力する機能が知られている。
【０００３】
特許文献１には、歌唱補助機能として模範ボーカルの音量制御に特徴を持たせたカラオケ装置が開示されている。このカラオケ装置では、歌唱音量値に基づいてガイドボーカル混合音量を加減制御することで、「ため」などによりフレーズの先頭で歌い出しのタイミングを意図的に遅らせた場合であっても、余計な模範ボーカルが出力されることがない。
【０００４】
特許文献２には、歌唱の音程と主旋律の音程との差に応じてガイドメロディの音量を制御することで、歌唱状態に応じて自動的にガイドメロディの音量が調整されるカラオケ装置が開示されている。
【先行技術文献】
【特許文献】
【０００５】
【特許文献１】特開２００５−１４８６２７号公報
【特許文献２】特開平９−１３４１８１号公報
【発明の概要】
【発明が解決しようとする課題】
【０００６】
ところで、現在、カラオケでは、楽曲に合わせて行われた歌唱を録音し、ネットワーク機能を利用して他者に公開する投稿サービスが人気を集めている。この投稿サービスでは、歌唱を録音した録音情報は、通信回線を介してサーバ装置に送信され、インターネットを介してパーソナルコンピュータや携帯情報端末にて視聴することができる。
【０００７】
特許文献１、特許文献２に開示される歌唱補助機能は、歌唱を補助することを目的としたものであって、補助音声となるガイドメロディを歌唱の状態に合わせて切り換える必要がある。そのため、不自然なタイミングでガイドメロディがオン／オフされることとなり、聞いている者にとっては違和感を覚える。特に、前述の投稿サービスのように聴取することを目的としている場合には、不自然なタイミングで出力されるガイドメロディは煩わしい。
【課題を解決するための手段】
【０００８】
前述の課題を解決するため、本発明に係る楽曲再生装置は、楽曲識別情報に対応付けて記録された録音情報についてフレーズ区間を設定する設定処理と、前記フレーズ区間にて歌唱が行われたか否かを判定する判定処理と、前記楽曲識別情報に対応する録音情報と楽曲情報とを同期して再生させる際、歌唱が行われたと判定された前記フレーズ区間では、前記楽曲情報に含まれるガイドメロディ情報を再生させず、歌唱が行われなかったと判定された前記フレーズ区間では、前記ガイドメロディ情報を再生させる再生処理と、を実行し、前記判定処理は、前記フレーズ区間よりも短いサブフレーズ区間毎に歌唱が行われたか否かを検出し、前記フレーズ区間中、歌唱が行われたと判定された前記サブフレーズ区間の割合に基づいて、前記フレーズ区間に音声が含まれているか否かを判定することを特徴としている。
【０００９】
また本発明に係る楽曲再生装置は、楽曲識別情報に対応付けて記録された録音情報についてフレーズ区間を設定する設定処理と、前記フレーズ区間にて歌唱が行われたか否かを判定する判定処理と、前記楽曲識別情報に対応する録音情報と楽曲情報とを同期して再生させる際、歌唱が行われたと判定された前記フレーズ区間では、前記楽曲情報に含まれるガイドメロディ情報を再生させず、歌唱が行われなかったと判定された前記フレーズ区間では、前記ガイドメロディ情報を再生させる再生処理と、を実行し、前記録音情報は、複数のパートを含む録音情報であって、前記判定処理と前記再生処理は、録音情報の各パートについて処理を実行することを特徴としている。
【００１０】
さらに本発明に係る楽曲再生装置において、前記判定処理は、音量に基づいて歌唱が行われたか否かを判定することを特徴としている。
【００１１】
前記判定処理は、前記録音情報と前記楽曲情報に含まれるガイドメロディ情報とを比較することで、歌唱が行われたか否かを判定することを特徴としている。
【００１２】
また本発明に係る楽曲再生プログラムは、楽曲識別情報に対応付けて記録された録音情報においてフレーズ区間を設定する設定処理と、前記フレーズ区間にて歌唱が行われたか否かを判定する判定処理と、前記楽曲識別情報に対応する録音情報と楽曲情報とを同期して再生させる際、歌唱が行われたと判定された前記フレーズ区間では、前記楽曲情報に含まれるガイドメロディ情報を再生させず、歌唱が行われなかったと判定された前記フレーズ区間では、前記ガイドメロディ情報を再生させる再生処理と、をコンピュータに実行させ、前記判定処理は、前記フレーズ区間よりも短いサブフレーズ区間毎に歌唱が行われたか否かを検出し、前記フレーズ区間中、歌唱が行われたと判定された前記サブフレーズ区間の割合に基づいて、前記フレーズ区間に音声が含まれているか否かを判定することを特徴としている。
【００１３】
また本発明に係る楽曲再生プログラムは、楽曲識別情報に対応付けて記録された録音情報においてフレーズ区間を設定する設定処理と、前記フレーズ区間にて歌唱が行われたか否かを判定する判定処理と、前記楽曲識別情報に対応する録音情報と楽曲情報とを同期して再生させる際、歌唱が行われたと判定された前記フレーズ区間では、前記楽曲情報に含まれるガイドメロディ情報を再生させず、歌唱が行われなかったと判定された前記フレーズ区間では、前記ガイドメロディ情報を再生させる再生処理と、をコンピュータに実行させ、前記録音情報は、複数のパートを含む録音情報であって、前記判定処理と前記再生処理は、録音情報の各パートについて処理を実行することを特徴としている。
【発明の効果】
【００１４】
本発明によれば、録音情報について、フレーズ区間毎に歌唱が行われたか否かを判定し、歌唱が行われなかったフレーズ区間にてガイドメロディを再生することで、進行上、違和感の少ない楽曲再生を行うことが可能となる。
【００１５】
さらに、本発明ではフレーズ区間よりも短いサブフレーズ区間にて歌唱が行われたか否かを判定し、サブフレーズ区間での判定結果に基づいてフレーズ区間におけるガイドメロディの再生、非再生を決定している。このような形態によれば、フレーズ区間の一部にて歌唱が行われた場合においても、設定条件（フレーズ区間におけるサブフレーズ区間の割合）に基づいてガイドメロディの再生、非再生を決定することができる。
【００１６】
さらに、本発明では音量に基づいて歌唱が行われたか否かを判定することで、簡易な構成にてガイドメロディの再生、非再生を決定することが可能となる。
【００１７】
さらに、本発明では、録音情報とガイドメロディ情報を比較することで、フレーズ区間にて歌唱が行われたか否かの検出精度を高めることが可能となる。さらに、ガイドメロディ情報を利用した採点を実行する際の結果を流用することも可能となる。
【００１８】
さらに、本発明では、複数のパートを含む録音情報に対しても適用することができる。各パートに対応するガイドメロディ情報を、フレーズ区間毎に再生、非再生とすることで、デュエット楽曲など複数のガイドメロディ情報を有する楽曲において、聴感上の違和感を抑えた再生を行うことが可能となる。
【００１９】
また、本発明は、楽曲再生プログラムとして提供することで、コマンダ（カラオケ装置
）などの各種コンピュータにおいて楽曲再生機能を追加することが可能となる。
【図面の簡単な説明】
【００２０】
【図１】本発明の実施形態に係るカラオケシステムのネットワーク構成を示す図。
【図２】本発明の実施形態に係るカラオケシステムを示す図。
【図３】本発明の実施形態に係る投稿処理を示すフロー図。
【図４】本発明の実施形態に係る投稿データのデータ構成を示す図。
【図５】本発明の実施形態に係る楽曲データのデータ構成を示す図。
【図６】本発明の実施形態に係る公開データ作成処理を説明するための図。
【図７】本発明の他の実施形態に係る楽曲データのデータ構成を示す図。
【図８】本発明の他の実施形態に係る公開データ作成処理を説明するための図。
【発明を実施するための形態】
【００２１】
図１は、本発明の実施形態に係るカラオケシステムのネットワーク構成を示す図である。図中、カラオケシステムとしての主要構成は、カラオケ用ホスト（サーバ装置）、店舗などに設置されるコマンダ２などにて構成される。コマンダ２は楽曲再生機能を有した、いわゆるカラオケ装置であって、店舗内のＬＡＮ１００に接続されている。コマンダ２とカラオケ用ホストは、インターネットを介して接続され、新しく供給された楽曲情報やユーザー情報など、各種サービスに必要な情報の送受信を行う。本実施形態ではＶＰＮ（Virtual Private Network）を介して接続されており、セキュリティに優れた通信を行うこ
とが可能となっている。
【００２２】
店舗に設置されたコマンダ２は、リモコン装置１によりユーザーからの各種指示を受け付けることが可能となっている。また、リモコン装置１は表示画面を備え、ユーザーに対して各種情報を提供することも可能である。リモコン装置１は、ＬＡＮ１００上に設置されたアクセスポイント１１０ａを介してコマンダ２と無線接続される。例えば、コマンダ２ａにはリモコン装置１ａと１ｂが対応付けられており、ＬＡＮ１００ａを介した操作が可能となっている。また、リモコン装置１とコマンダ２とは赤外線を利用した近距離通信を行うことも可能である。
【００２３】
さらに、本実施形態のカラオケシステムでは、ユーザーに各種サービスを提供するためインターネット用ホストが設けられている。このインターネット用ホストは、ユーザーのパーソナルコンピュータ、携帯情報端末（携帯電話やＰＤＡなど）と接続され、これら機器を利用するユーザーに各種サービスを提供することができる。また、インターネット用ホストは、カラオケ用ホストとデータ共有することで連携を取ったサービスを提供することができる。本実施形態では、コマンダ２にて録音、録画して得られた投稿データをこのインターネット用ホストを介して、パーソナルコンピュータ、携帯情報端末などに公開することが可能である。投稿データの公開は、コマンダ２にて実行されることとしてもよい。
【００２４】
図２は、本発明の実施形態に係る店舗Ａに設置されたカラオケシステムの構成を示している。本実施形態におけるカラオケシステムは、コマンダ２（カラオケ装置）と、リモコン装置１にて構成されており、これらは、ＬＡＮ１００にて、無線、有線で互いに接続されている。
【００２５】
コマンダ２は、全体を統括制御する制御部３０を中心として機能し、主な機能として、演奏処理、映像再生処理、楽曲指定処理、投稿処理などを実行可能としている。演奏処理は、入力部２１やリモコン装置１にて、ユーザーにより指定された楽曲に対応する楽曲情報をＭＩＤＩ音源２６などの音源部にて演奏させ、スピーカー４２から放音させる処理である。このとき、スピーカー４２からは歌唱用マイク４４から入力される音声も合わせて
放音される。映像再生処理は、映像再生部２９にて映像情報や歌詞情報などを再生させ、モニタ４１を介した視覚情報をユーザーに提供する処理である。
【００２６】
楽曲指定処理は、ユーザーからの指定に基づいて楽曲を選択、予約するための処理である。本実施形態ではリモコン装置１と連携して実行することとなる。リモコン装置１の操作部１７から入力されたユーザーの指令は、赤外線通信部１９、２３、あるいは、ＬＡＮ１００を介してコマンダ２に伝達される。コマンダ２での処理結果は、リモコン装置１側の表示部１１に表示され、ユーザーは選曲のための各種情報を視認することが可能である。コマンダ２とリモコン装置１では、この楽曲指定処理に限らず、ユーザーから各種入力を受付けて、ログイン処理など各種処理を実行することが可能である。
【００２７】
投稿処理は、楽曲指定処理にて指定された楽曲を演奏する際、歌唱用マイク４４から入力される音声を録音情報として記録し、カラオケ用ホストやインターネット用ホストなどの各種サーバ装置に送信する処理である。本実施形態の録音情報は、歌唱用マイク４４からの音声だけであるため、録音情報を再生するにあたっては録音時に使用した楽曲を同時に再生させることとしている。
【００２８】
また、投稿処理においては歌唱用マイク４４からの音声のみならず、歌唱の様子を同時に録画することも可能である。本実施形態のコマンダ２には、カメラ４３が接続可能とされており、接続されたカメラ４３から歌唱者や同伴客の様子を撮像することが可能となっている。カメラ４１からの映像を表示手段（例えば、モニタ４１）にてモニタする場合には、カメラ４３は、当該表示手段の上部など、表示手段の近傍に配置することが好ましい。ユーザーは、モニタ画像を鏡のように利用することが可能となる。なお、カメラ４３を複数設け、同時に、あるいは、切り換えて撮影することで撮像情報を取得することとしても構わない。
【００２９】
本実施形態では、リモコン装置１の表示部１１に表示させ、ログイン、選曲、録音、録画、投稿など各種操作を行うユーザーに対して各種情報を提供する。なお、リモコン装置１の操作部１７としては、カーソルキーなどの各種スイッチの他、表示部１１に表示されたアイコンを直接タッチして、各種操作を可能とするタッチパネル等を採用することができる。
【００３０】
本実施形態のカラオケシステムは、ユーザーが、録音、録画した情報を投稿データとしてホストに投稿する時に、ユーザーと投稿データとの対応付けするときに必要となる、ユーザーＩＤをリモコン装置１へ入力することでログインすることが可能となっている。ユーザーのログインに関する情報（ユーザーＩＤ）は、ログイン時にメモリ１４、ＨＤＤ３２等の記憶手段に記憶される。
【００３１】
図３は、本発明の実施形態に係る投稿処理を示すフロー図である。この投稿処理においてユーザーは、操作部１７などの入力手段にてログインした状態となっている。本実施形態では、歌唱音声の録音に加え、カメラ４３を利用した録画を行い、録音情報と録画情報を得ることとしているが録音情報のみであってもよい。Ｓ１０２ではユーザーによる選曲が実行される。ここでは、リモコン装置１を介して、ユーザーは所望の楽曲を検索し、目的の楽曲を選択することで選曲を行う。楽曲の検索や選択については各種周知の手法にて行うことができるため、ここではその詳細を省略する。なお、この楽曲を選択する際、投稿のために録音、録画を許可することをユーザーが指定することとしてもよい。
【００３２】
Ｓ１０３では、指定された楽曲に対応する楽曲情報（ＭＩＤＩデータ等にて構成）をＭＩＤＩ音源２６等で構成された楽曲演奏手段にて演奏させる。それと略同時に歌唱用マイク４４から入力される歌唱音声の録音、並びに、カメラ４３にて撮影される映像の録画が
開始される（Ｓ１０４）。録音された歌唱音声は録音情報として、録画された映像は録画情報としてＨＤＤ３２等の記憶手段に格納される。
【００３３】
楽曲演奏中、Ｓ１０５では歌唱用マイク４４から入力される音声について、所定時間毎に歌唱が行われているか否かを判定する。この判定は、歌唱用マイク４４から閾値以上の音声が入力されたか否か、あるいは、楽曲の演奏に同期したガイドメロディ情報と比較することで実行される。なお、ガイドメロディ情報を利用する場合には、採点機能としての処理を流用することも可能である。歌唱用マイクが複数ある場合（歌唱用マイク４４ａ、４４ｂ）の録音情報は、歌唱用マイク毎に作成してもよいし、複数の歌唱用マイクからの音声を混合した上で録音情報を作成してもよい。
【００３４】
Ｓ１０６にて楽曲情報の演奏終了が判断されると、Ｓ１０７では録音、録画を終了させる。Ｓ１０８では、録音情報、録画情報を投稿するか否かをユーザーに対して問い合わせる表示が行われる。ここでは投稿することで、例えば、インターネットを介して公開されることを許諾するか等をユーザーに確認させる。Ｓ１０９にてユーザーが投稿しないことを選択した場合には、投稿処理を終了する（Ｓ１１１）。
【００３５】
一方、ユーザーが投稿することを選択した場合には、音声情報、録画情報を含む投稿データがサーバ装置に送信される（Ｓ１１０）。本実施形態の音声情報、録画情報のデータ形式にはＭＰＥＧ形式が採用されている。図４に投稿データのデータ構成の一例が示されている。コマンダ２から送信される投稿データには、録音情報、録画情報の他、楽曲ＩＤ、当該楽曲を歌唱したユーザー、すなわち、当該楽曲を予約したユーザーのユーザーＩＤ、投稿処理を実行したコマンダ２のＩＤ（製造番号、IPアドレスなど）、録音日時といった属性情報が含まれている。
【００３６】
サーバ装置では、受信した投稿データをデータベースに登録し（Ｓ１１２）、当該投稿データに基づいて公開データを作成する（Ｓ１１３）。具体的には、Ｗｅｂサーバから公開するために、投稿データの録画情報からサムネイル画の公開データを作成する。コマンダ２からの投稿データの録音、録画情報はＭＰＥＧ形式であるので、公開する対象がコマンダであった場合は、そのままＭＰＥＧ形式で公開すればよいが、公開する対象がパーソナルコンピュータや携帯情報端末などであった場合のために、ＭＰＥＧ形式の録音、録画情報からＦＬＶ形式（Ａｄｏｂｅ  Ｆｌａｓｈ形式：商標）の録画、録音情報を作成し、コマンダ２、パーソナルコンピュータ等何れからも利用できるようにして公開する（Ｓ１１４）。
【００３７】
投稿データを公開する場合、これらの属性情報を検索項目に用いて検索することが可能となる。楽曲ＩＤは、投稿データの公開に際して録音情報、録画情報に同期して楽曲を再生するために利用される。本実施形態では録音情報に楽曲情報に基づく演奏音が含まれていないため、楽曲演奏できないパーソナルコンピュータ上で、ＦＬＶ形式で再生可能とするために、サーバ装置側で投稿データの楽曲ＩＤから楽曲を特定し、その楽曲ＩＤの楽曲演奏音を挿入しながらＦＬＶ形式のデータを作成する。
【００３８】
投稿データをコマンダ２で再生する場合は、コマンダ２側で投稿データの楽曲ＩＤを特定し、コマンダ２の音源制御部２５がその楽曲ＩＤに対応した楽曲演奏を行いながら投稿データを再生する。投稿データをパーソナルコンピュータなどで再生する場合は、予めパーソナルコンピュータなどにＦｌａｓｈプレーヤ（投稿データ再生ソフト）がインストールされている。パーソナルコンピュータなどから投稿データを選択すると、サーバ装置は、選択した装置が、コマンダＩＤではないので、パーソナルコンピュータなどからの選択と判断し、楽曲ＩＤに対応する演奏音が組み込まれたＦＬＶ形式の投稿データを送出し、パーソナルコンピュータなどはＦｌａｓｈプレーヤを用いて投稿データを再生する。
【００３９】
図５には、公開データ作成処理にて利用する楽曲データのデータ構成が示されている。楽曲データには、楽曲ＩＤに対応付けられた楽曲情報とガイドメロディ情報を含んで構成されている。投稿データに含まれる楽曲ＩＤに基づいて、この楽曲データを読み出し、楽曲情報、ガイドメロディ情報の再生に同期して、投稿データ内の録音情報、録画情報を再生することで、投稿データ作成時における楽曲を再現することが可能となる。サーバ装置には、コマンダ２のＩＤが予め登録されているので、コマンダ２からの要求であればＭＰＥＧ形式の投稿データを再生し、それ以外からの要求（パーソナルコンピュータなどからの要求）であればＦＬＶ形式の投稿データを再生する。
【００４０】
図６は、本発明の実施形態に係る公開データ作成処理を説明するための図である。まず、録音情報にフレーズ区間を設定する設定処理が実施される。フレーズ区間は、録音情報と一緒に再生される楽曲情報あるいはガイドメロディ情報を用いて判定してもよいし、録音情報の録音時に一緒に再生された楽曲情報を用いてもよい。フレーズ区間には、楽曲の小節、あるいは、歌詞の１フレーズなど聴感上区切りのよい適宜区間を利用することができる。なお、１楽曲を通して複数のフレーズ区間を設定してもよいし、１つのフレーズ区間であってもよい。
【００４１】
本実施形態では、楽曲演奏時に判定された所定時間毎の判定結果（図３のＳ１０５にて判定されたサブフレーズ区間）を利用して各フレーズ区間にて歌唱が行われたか否かが判定される。図では説明のため、フレーズ区間を、複数のサブフレーズ区間に対応付けて表示（フレーズ１区間では４つのサブフレーズ区間が対応）しているが、複数のサブフレーズ区間はフレーズ区間に対応する必要はない。
【００４２】
本実施形態では、フレーズ区間のうち過半数のサブフレーズ区間において歌唱が行われたと判定された場合、当該フレーズ区間においてガイドメロディ情報を再生させる再生処理を実行する。なお、フレーズ区間において歌唱が行われたと判定するためのサブフレーズ区間の割合は任意に設定することができる。フレーズ１区間では、４つのサブフレーズ区間のうち、３つについて歌唱が行われたと判定されているため、ガイドメロディ情報は再生されない。フレーズ２区間では、歌唱が行われたサブフレーズ区間は１つであるため、ガイドメロディ情報が再生される。
【００４３】
このように、本実施形態ではフレーズ区間毎に歌唱が行われたか否かを判定することで、区切りよくガイドメロディ情報を再生し、聴感上の違和感を抑えることができる。また、録音情報に対して実行されるため、例えば、フレーズ２区間の途中のサブフレーズ区間で歌唱が行われたと判定される場合においても、フレーズ区間として歌唱が行われなかったと判定した場合には、当該フレーズ区間の最初からガイドメロディ情報を再生させることが可能となり聴感上の違和感を軽減することが可能となる。
【００４４】
本実施形態では、１つのガイドメロディ情報を含む楽曲について説明したが、デュエット楽曲のように複数（２以上）のガイドメロディ情報を含む楽曲に対しても適用することができる。図７は、デュエット楽曲のように２つのガイドメロディ情報を有する楽曲データのデータ構成を示す図である。このような楽曲データの場合には、図８に示される公開データ作成処理が実行される。
【００４５】
図８の実施形態では、録音情報中の各サブフレーズ区間において、どちらのパートで歌唱されたか、すなわち、メロディＡが歌唱されたのか、メロディＢが歌唱されたのかが判別されている。これは歌唱時において、メロディＡ、メロディＢに対応するガイドメロディ情報と対比することで判別することができる。例えば、フレーズ１区間においてはメロディＡにて歌唱されたサブフレーズ区間を２つ有しているため、メロディＡの歌唱が行わ
れたと判定し、ガイドメロディ情報Ａの再生を中止する。また、フレーズ２区間においては、メロディＢにて歌唱されたサブフレーズ区間が１つであるため、フレーズ２区間においては歌唱が行われなかったと判定し、ガイドメロディＢを再生させる。
【００４６】
さらに、本実施形態では、２つのガイドメロディＡ、Ｂが同時に再生される箇所についても対応できる。フレーズ４区間は、この例を示したものであって、メロディＡ、Ｂが共に歌唱された２つのサブフレーズ区間と、メロディＢのみが歌唱された１つのサブフレーズ区間となっている。この場合、フレーズ４区間では、両メロディＡ、Ｂについて歌唱が行われたと判定し、両ガイドメロディ情報Ａ、Ｂを再生させない。
【００４７】
本実施形態では、１つの録音情報中に複数パートの歌唱音声（メロディＡ、メロディＢ）が混入している場合について説明したが、各パート毎の録音情報としてもよい。その場合、録音情報とガイドメロディ情報を対応付けることで、図６にて説明した公開データ作成処理と同様の処理にてガイドメロディの再生、非再生を決定することができる。また、歌唱用マイク毎の録音情報に対して、それぞれ録音情報とガイドメロディ情報を対応付け、録音情報毎にガイドメロディの再生、非再生を決定してもよい。
【００４８】
以上、本実施形態では、投稿サービスにおける録音情報に関し、サーバ装置にて行われる公開データ作成処理を説明したが、このような場合に限らず、例えば、録音情報をコマンダ２にて再生する場合あるいは、サーバ装置にてストリーミング再生させる場合に用いることとしてもよい。
【００４９】
なお、本発明はこれらの実施形態のみに限られるものではなく、それぞれの実施形態の構成を適宜組み合わせて構成した実施形態も本発明の範疇となるものである。
【符号の説明】
【００５０】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…コマンダ（カラオケ装置）、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ハードディスク、４１…モニタ、４２…スピーカー、４３…カメラ、４４ａ、４４ｂ…歌唱用マイク、１００…ＬＡＮ、１１０…アクセスポイント、１２０…ルータ
【図１】
0005311071.tif 000002
【図２】
0005311071.tif 000003
【図３】
0005311071.tif 000004
【図４】
0005311071.tif 000005
【図５】
0005311071.tif 000006
【図７】
0005311071.tif 000007
【図６】
0005311071.tif 000008
【図８】
0005311071.tif 000009